(57)【要約】【課題】ラチェット歯の個数を必要以上に増やさず製造コストを高めること無く、１回のクリック感での塗布材の出現量を少なくし出し過ぎを防止する。【解決手段】一方のクリック歯を例えば従来のように円周等分割の複数箇所に設けるのに対して、他方のクリック歯６ｒを円周非等分の複数箇所に設け、ラチェット歯６ｒの個数を必要以上に増やすこと無く、容器前部と容器後部の相対回転による一回転当たりのクリック回数を、円周等分割の複数箇所より多いクリック回数とし、１回のクリック感での塗布材の出現量を少なくする。【選択図】図７
2008246008.tif 000002
【特許請求の範囲】
【請求項１】
容器前部と容器後部との相対回転により、容器内の螺合部が働き容器内の移動体が前進することで容器内の塗布材が容器先端の開口から出現する塗布材押出容器において、
前記容器前部及び前記容器後部は、各々、軸線周り回転方向に係合し前記相対回転に従う前記移動体の移動に伴いクリック感を付与するクリック歯を備え、
一方のクリック歯は、円周等分割の複数箇所に設けられ、
他方のクリック歯は、円周非等分の複数箇所に設けられ、
前記相対回転による一回転当たりのクリック回数が、前記円周等分割の複数箇所より多いクリック回数となることを特徴とする塗布材押出容器。
【請求項２】
前記一方のクリック歯は、円周等分割の８箇所に設けられ、
前記他方のクリック歯は、円周非等分の８箇所に設けられ、
前記相対回転による一回転当たりのクリック回数が、１６回以上となることを特徴とする請求項１記載の塗布材押出容器。
【請求項３】
前記他方のクリック歯は、円周９０°ごとの４箇所と、この４箇所のうちの対向する２箇所から時計回り、反時計回りに各々２２．５°回転した４箇所に設けられていることを特徴とする請求項２記載の塗布材押出容器。
【請求項４】
前記容器前部のクリック歯又は前記容器後部のクリック歯の何れか一方は、当該クリック歯を軸線方向に付勢する弾性体を一体で備えることを特徴とする請求項１〜３の何れか一項に記載の塗布材押出容器。
【請求項５】
前記クリック歯は、前記移動体を繰り戻す方向の相対回転を規制し、前記移動体を繰り出す方向の相対回転のみを許容するラチェット歯であることを特徴とする請求項１〜４の何れか一項に記載の塗布材押出容器。
【発明の詳細な説明】
【技術分野】
【０００１】
本発明は、塗布材を押し出して使用するための塗布材押出容器に関する。
【背景技術】
【０００２】
従来、本体筒（容器前部）と、この本体筒の後端部に相対回転可能に連結され、その内周面に軸線方向に延びる回り止めを備える操作筒（容器後部）と、本体筒内に同期回転可能に係合されその内周面に雌螺子が形成されると共にその後端面にラチェット歯を備える第一の筒状体と、この第一の筒状体と操作筒の回り止めとの間に配置されその先端面に第一の筒状体のラチェット歯と噛合するラチェット歯を備え操作筒に同期回転可能に係合される第二の筒状体と、この第二の筒状体と操作筒の回り止めとの間に配置されラチェット歯同士が噛合するように第二の筒状体を第一の筒状体に向かって付勢する圧縮コイルバネと、第一、第二の筒状体、圧縮コイルバネを貫くように操作筒及び本体筒内に収容され、第一の筒状体の雌螺子に螺合する雄螺子及び操作筒の回り止めと係合する回り止めが、その外周面に軸線方向に延びるように形成された移動体と、を具備し、使用者による本体筒と操作筒との相対回転により、ラチェット歯同士の噛合によるクリック感を生じながら、移動体が先端側に順次繰り出され、液状化粧料を始めとした液状充填物が出現し使用状態とされる移動体繰出装置が知られている（例えば、特許文献１参照）。このような装置にあっては、使用者はクリック感を感じながら相対回転を行い、液状充填物を多く出したい場合には、多数回のクリック感を受けるように相対回転を行い、液状充填物を少なく出したい場合には、少数回のクリック感を受けるように相対回転を行う。
【特許文献１】特開２０００−２６２３２４号公報
【発明の開示】
【発明が解決しようとする課題】
【０００３】
ここで、上記装置にあっては、１回のクリック感での液状充填物の吐出量（出現量）をさらに少なくし液状充填物を出し過ぎないようにしたいという要望がある。このような要望を実現するには、ラチェット歯の個数を多くし、本体筒と操作筒の相対回転による１回転当たりのクリック回数を多くすれば良いが、このようにラチェット歯の個数を多くすると、ラチェット歯を成型するための金型の加工時間が長くなると共に、成型時の冷却時間が長くなって成型時間が長くなり、従って、製造コストが高くなる。
【０００４】
特に、１回のクリック感での液状充填物の吐出量を例えば従来の半分以下としたい場合には、ラチェット歯の個数を従来の２倍以上とする（従来８個なら１６個以上とする）必要がある。
【０００５】
本発明は、このような課題を解決するために成されたものであり、ラチェット歯の個数を必要以上に増やさず製造コストを高めること無く、１回のクリック感での塗布材の出現量を少なくし出し過ぎを防止できる塗布材押出容器を提供することを目的とする。
【課題を解決するための手段】
【０００６】
本発明による塗布材押出容器は、容器前部と容器後部との相対回転により、容器内の螺合部が働き容器内の移動体が前進することで容器内の塗布材が容器先端の開口から出現する塗布材押出容器において、容器前部及び容器後部は、各々、軸線周り回転方向に係合し相対回転に従う移動体の移動に伴いクリック感を付与するクリック歯を備え、一方のクリック歯は、円周等分割の複数箇所に設けられ、他方のクリック歯は、円周非等分の複数箇所に設けられ、相対回転による一回転当たりのクリック回数が、円周等分割の複数箇所より多いクリック回数となることを特徴としている。
【０００７】
このような塗布材押出容器によれば、一方のクリック歯が例えば従来のように円周等分割の複数箇所に設けられているのに対して、他方のクリック歯が円周非等分の複数箇所に設けられているため、ラチェット歯の個数を必要以上に増やすこと無く、容器前部と容器後部の相対回転による一回転当たりのクリック回数を、円周等分割の複数箇所より多いクリック回数とすることができ、１回のクリック感での塗布材の出現量を少なくできる。このため、製造コストを高めること無く、１回のクリック感での塗布材の出し過ぎを防止できる。
【０００８】
ここで、一方のクリック歯は、円周等分割の８箇所に設けられ、他方のクリック歯は、円周非等分の８箇所に設けられ、相対回転による一回転当たりのクリック回数が、１６回以上となるようにすると、クリック歯の個数に対してクリック回数が２倍以上となり、少ないクリック歯の個数で、１回のクリック感での塗布材の出現量を大幅に少なくできる。
【０００９】
また、上記作用を効果的に奏する具体的な構成としては、他方のクリック歯は、円周９０°ごとの４箇所と、この４箇所のうちの対向する２箇所から時計回り、反時計回りに各々２２．５°回転した４箇所に設けられている構成が挙げられる。これによれば、上記相対回転時に、各クリック歯に負荷がバランス良く作用することになる。
【００１０】
また、容器前部のクリック歯又は容器後部のクリック歯の何れか一方は、当該クリック歯を軸線方向に付勢する弾性体を一体で備えていると、部品点数が低減されると共に、成型、組立等の製造が簡易とされ、製造コストの低減が図られる。
【００１１】
また、クリック歯は、移動体を繰り戻す方向の相対回転を規制し、移動体を繰り出す方向の相対回転のみを許容するラチェット歯であっても良い。
【発明の効果】
【００１２】
このように本発明による塗布材押出容器によれば、ラチェット歯の個数を必要以上に増やさないため製造コストを高めること無く、１回のクリック感での塗布材の出現量を少なくでき出し過ぎを防止することが可能となる。
【発明を実施するための最良の形態】
【００１３】
以下、本発明による塗布材押出容器の好適な実施形態について図１〜図１０を参照しながら説明する。なお、各図において、同一の要素には同一符号を付し、重複する説明は省略する。図１及び図２は、本発明の実施形態に係る塗布材押出容器の各状態を示す縦断面図、図３〜図６は、クリック雌螺子部材を示す各図、図７〜図１０は、クリックバネ部材を示す各図であり、本実施形態の塗布材押出容器は、塗布材を収容すると共に適宜使用者の操作により押し出し可能とするものである。
【００１４】
ここでは、塗布材として、例えば、リップグロス、リップ、アイカラー、アイライナー、美容液、洗浄液、ネールエナメル、ネールケア溶液、ネールリムーバー、マスカラ、アンチエイジング、ヘアーカラー、頭髪用化粧料、オーラルケア、マッサージオイル、角栓ゆるめ液、ファンデーション、コンシーラー、スキンクリーム、マーキングペン等の筆記用具等のインク、液状の医薬品、泥状物等を始めとした液状や、ゼリー状、ゲル状、ペースト状を含む練り状等の半固体や軟固形状等を用いることが可能である。
【００１５】
図１及び図２に示すように、塗布材押出容器１００は、容器前部を構成し、塗布材Ｌが充填される充填領域１ｘを内部に備えた円筒状の本体筒１と、容器後部を構成し、本体筒１の後端部に相対回転自在に装着された有底円筒状の操作筒２と、本体筒１の先端側に装着されたブラシ（塗布体）７と、を外形構成として具備している。
【００１６】
この容器内には、先端部にピストン３を備え塗布材Ｌを押し出すための棒状の移動体４、この移動体４を移動させると同時に前進のみを許容し且つクリック感を与えるためのクリック雌螺子部材５、及び、このクリック雌螺子部材５と協働するクリックバネ部材６が配設されている。
【００１７】
移動体４は、外周面の略全長に亘って雄螺子４ｅを備えると共に、外周面の対向位置に一対軸線方向に延在する凹設溝４ｂを備え、この凹設溝４ｂに、操作筒２の内周面に放射状に内側に突出するように複数設けられた突条２ｂのうちの対向する一対が各々進入し軸線周り回転方向に係合することで、操作筒２に対して同期回転可能且つ軸線方向移動可能とされている。
【００１８】
クリック雌螺子部材５は、図３〜図５に示すように、外筒５ａと、この外筒５ａと略同軸を成して内側に配置された内筒５ｂと、外筒５ａの軸線方向略中央及び内筒５ｂの後端に連設されてこれらを連結する円環状の連結部５ｃと、図４〜図６に示すように、内筒５ｂ及び連結部５ｃの後端面に周方向に沿って複数設けられ、後方に突出するラチェット歯５ｒ（詳しくは後述）と、を一体に具備している。また、このクリック雌螺子部材５には、図３〜図５に示すように、その内筒５ｂの内周面に雌螺子５ｅが軸線方向に沿って設けられている。
【００１９】
このクリック雌螺子部材５は、その外筒５ａの外周面に周方向に沿って複数設けられ軸線方向に所定長延びる突条５ｄが、図１及び図２に示すように、本体筒１の内周面に軸線方向に沿って所定長延び周方向に沿って凹凸が密に並設されるローレット１ｄに軸線周り回転方向に係合することで、本体筒１に対して同期回転可能とされると共に、本体筒１の内周面の傾斜面１ｂにより前方への移動が阻止された状態とされている。また、このクリック雌螺子部材５の雌螺子５ｅに対して、移動体４の外周面に設けられた雄螺子４ｅが螺合した状態とされている。
【００２０】
図１及び図２に示すように、クリックバネ部材６は、クリック雌螺子部材５と本体筒２の突条２ｂの先端面との間に配設され、その先端面に、前方に突出するラチェット歯６ｒを、図７〜図１０に示すように、周方向に沿って所定に備えている（詳しくは後述）。
【００２１】
このクリックバネ部材６は、図７〜図９に示すように、その後半部が、ラチェット歯６ｒを軸線方向前側に付勢するための弾性体６ａとされ、これより前側部分と一体に成形されている。この弾性体６ａは、ここでは、螺旋状スリットを有する圧縮バネとされている。
【００２２】
このクリックバネ部材６は、そのラチェット歯６ｒと圧縮バネ６ａとの間の外周面に対して周方向に沿って複数設けられ軸線方向に所定長延びる突条６ｆが、図１及び図２に示すように、操作筒２の先端部の内周面に軸線方向に沿って所定長延び周方向に沿って凹凸が密に並設されるローレット２ｆに軸線周り回転方向に係合することで、操作筒２に対して同期回転可能とされている。
【００２３】
そして、圧縮バネ６ａにより、クリックバネ部材６のラチェット歯６ｒが前方に付勢され、クリック雌螺子部材５のラチェット歯５ｒと軸線周り回転方向に係合可能（噛合可能）とされている。
【００２４】
これらのラチェット歯５ｒ，６ｒは、鈍角（又は直角）と鋭角を組み合わせた側面視三角形状に構成され、クリック雌螺子部材５が回転方向に係合する本体筒１と、クリックバネ部材６が回転方向に係合する操作筒２との一方向（移動体４の繰り出し方向）への相対回転のみを許容し、一方向とは反対方向である他方向（移動体４の繰り戻し方向）への相対回転を規制する構成とされている。
【００２５】
そして、図１及び図２に示すように、クリック雌螺子部材５の雌螺子５ｅ及び移動体４の雄螺子４ｅにより螺合機構５０が構成され、操作筒２の突条２ｂ及び移動体４の凹設溝４ｂにより回り止め機構６０が構成され、クリック雌螺子部材５のラチェット歯５ｒ、クリックバネ部材６のラチェット歯６ｒ及びクリックバネ部材６の圧縮バネ６ａによりラチェット機構２０が構成されている。
【００２６】
次に、クリック雌螺子部材５のラチェット歯５ｒ、クリックバネ部材６のラチェット歯６ｒについて説明する。
【００２７】
クリック雌螺子部材５のラチェット歯５ｒは、図６に示すように、円周等分割の複数箇所に設けられ、ここでは、円周等分割の８箇所、すなわち、円周方向４５°ごとに設けられている。
【００２８】
ここで、特に本実施形態のクリックバネ部材６のラチェット歯６ｒは、図１０に示すように、円周非等分の複数箇所に設けられ、ここでは、円周非等分の８箇所に設けられている。より具体的には、ラチェット歯６ｒは、円周方向９０°ごとの４箇所と、この４箇所のうちの対向する２箇所から時計回り、反時計回りに各々２２．５°回転した４箇所に設けられている。
【００２９】
このように構成された塗布材押出容器１００にあっては、使用者により図１に示すキャップ８が本体筒１から取り外され、本体筒１と操作筒２とが一方向に相対回転されると、ラチェット歯５ｒ，６ｒも同期して一方向に相対回転し、使用者にはラチェット歯５ｒ，６ｒ同士が係合する度にクリック感（抵抗感）が与えられながら、移動体４が、図２に示すように、相対回転に従い先端側に順次繰り出され、この繰り出される移動体４の先端のピストン３により、充填領域１ｘの塗布材Ｌは、先端側に順次押し出され、本体筒１の先端部に装着されたパイプ部材９を通り、当該パイプ部材９の先端の開口９ａから出現しブラシ７に吐出されて使用状態とされる。
【００３０】
この移動体４の繰り出し時にあっては、クリック雌螺子部材５のラチェット歯５ｒが円周等分割の複数箇所に設けられているのに対して、クリックバネ部材６のラチェット歯６ｒが円周非等分の複数箇所に設けられているため、ラチェット歯の個数を必要以上に増やすこと無く、本体筒１と操作筒２の相対回転による一回転当たりのクリック回数が、円周等分割の複数箇所より多いクリック回数とされ、１回のクリック感での塗布材Ｌの出現量が少なくされている。従って、製造コストを高めること無く、１回のクリック感での塗布材Ｌの出し過ぎが防止されている。
【００３１】
具体的には、クリック雌螺子部材５のラチェット歯５ｒが円周等分割の８箇所に設けられ、クリックバネ部材６のラチェット歯６ｒが円周非等分の８箇所に設けられ、相対回転による一回転当たりのクリック回数が１６回とされているため、ラチェット歯５ｒの個数に対してクリック回数が２倍となり、少ないラチェット歯５ｒ，６ｒの個数で、１回のクリック感での塗布材Ｌの出現量が大幅に少なくされている。
【００３２】
そして、クリックバネ部材６のラチェット歯６ｒは、円周９０°ごとの４箇所と、この４箇所のうちの対向する２箇所から時計回り、反時計回りに各々２２．５°回転した４箇所に設けられているため、上記相対回転時に、各ラチェット歯５ｒ，６ｒに負荷がバランス良く作用することになる。
【００３３】
また、本実施形態にあっては、クリックバネ部材６のラチェット歯６ｒが、当該ラチェット歯６ｒを軸線方向に付勢する圧縮バネ６ａを一体で備えているため、部品点数が低減されると共に、成型、組立等の製造が簡易とされ、製造コストの低減が図られている。因みに、クリック雌螺子部材５のクリック歯５ｒが圧縮バネ６ａを一体で備えるようにし、同様な作用・効果を奏するようにしても良い。
【００３４】
なお、本実施形態においては、特に好ましい作用・効果を奏するとして、ラチェット歯６ｒを図１０に示す非等分配置としているが、これに限定されるものではない。また、ラチェット歯５ｒ，６ｒ同士を逆にし、クリック雌螺子部材５のラチェット歯５ｒを非等分配置とし、クリックバネ部材６のラチェット歯６ｒを等分配置としても良い。
【００３５】
そして、等分配置のラチェット歯のピッチ、非等分配置のラチェット歯のピッチ、個数、配置等を適宜変更することにより、上記相対回転による一回転当たりのクリック回数を、円周等分割の複数箇所の２倍より多いクリック回数（本実施形態に例えると２倍の１６回より多い回数）とすることができる。
【００３６】
以上、本発明をその実施形態に基づき具体的に説明したが、本発明は上記実施形態に限定されるものではなく、例えば、上記実施形態においては、移動体４を繰り戻す他方向への本体筒１と操作筒２の相対回転を規制し、移動体４を繰り出す一方向への本体筒１と操作筒２の相対回転のみを許容するラチェット歯５ｒ，６ｒを有するラチェット機構２０としているが、ラチェット歯５ｒ，６ｒの形状を周方向に沿って例えば登り傾斜と下り傾斜を有する山型のクリック歯とし、移動体４を繰り出す一方向への相対回転に加えて移動体４を繰り戻す他方向への相対回転を許容するクリック機構とすることも可能である。この場合も、他方向への相対回転時に、クリック歯同士が回転方向の係合及びその解除を繰り返し、クリック感が生じることになる。
【００３７】
また、上記実施形態においては、塗布材Ｌを、例えば、液状や、ゼリー状、ゲル状、ペースト状を含む練り状等の半固体や軟固形状等とした場合に、特に好適な塗布材押出容器１００について述べているが、塗布材を、例えば、アイライナー、アイブロー、リップライナー、リップスティック等を始めとした種々の棒状化粧料、筆記用具等の棒状の芯等の棒状体とした場合に対しても適用可能である。この場合には、先端のブラシ７等の塗布体は無くされ、本体筒の先端に設けられる開口から棒状体が出没することになる。
【００３８】
また、雄螺子、雌螺子は、間欠的に配される突起群又は螺旋状且つ間欠的に配される突起群のように螺子山と同様な働きをするものであっても良く、また、螺合突起は、連続する螺子山であっても良い。
【００３９】
さらに、クリック歯は、鈍角三角形、鋭角三角形、直角三角形、二等辺三角形、半球形状等、クリック感やラチェット機能に応じて種々の形状を選択することが可能である。
【図面の簡単な説明】
【００４０】
【図１】本発明の実施形態に係る塗布材押出容器の初期状態を示す縦断面図である。
【図２】図１に示す塗布材押出容器の移動体が最大に前進したときの縦断面図である。
【図３】図１及び図２中のクリック雌螺子部材を前方から見た斜視図である。
【図４】図１及び図２中のクリック雌螺子部材を後方から見た斜視図である。
【図５】図４に示すクリック雌螺子部材の破断斜視図である。
【図６】図１及び図２中のクリック雌螺子部材の右側面図である。
【図７】図１及び図２中のクリックバネ部材を示す斜視図である。
【図８】図７に示すクリックバネ部材の上面図である。
【図９】図７に示すクリックバネ部材の正面図である。
【図１０】図９に示すクリックバネ部材の左側面図である。
【符号の説明】
【００４１】
１…本体筒（容器前部）、２…操作筒（容器後部）、４…移動体、５…クリック雌螺子部材、５ｒ…一方のクリック歯、６…クリックバネ部材、６ａ…圧縮バネ（弾性体）、６ｒ…他方のクリック歯、９ａ…容器先端の開口、５０…螺合部、１００…塗布材押出容器、Ｌ…塗布材。
【図１】
2008246008.tif 000003
【図２】
2008246008.tif 000004
【図３】
2008246008.tif 000005
【図４】
2008246008.tif 000006
【図５】
2008246008.tif 000007
【図６】
2008246008.tif 000008
【図７】
2008246008.tif 000009
【図８】
2008246008.tif 000010
【図９】
2008246008.tif 000011
【図１０】
2008246008.tif 000012